(57)【要約】【課題】カバーの強度を損なうことなく、カバーの内部に形成される機器内部空間を広く確保することができる配線用遮断器の端子金具を提供する。【解決手段】ベース１０とカバー１１とからなる筐体を備えた配線用遮断器の端子金具２５である。この端子金具２５は、電線固定面３０と、この電線固定面３０から垂直に立ち上げた立上げ片３１とを備えたＬ字形状であり、立上げ片３１の先端部に薄肉部３２を形成し、カバー１１の一部をこの薄肉部３２にすることで形成された空間に形成したものである。【選択図】図２
2020080210.tif 000002
【特許請求の範囲】
【請求項１】
ベースとカバーとからなる筐体を備えた配線用遮断器の端子金具であって、
電線固定面と、この電線固定面から垂直に立ち上げた立上げ片とを備えたＬ字形状であり、
この立上げ片の先端部に薄肉部を形成し、
カバーの一部を前記立上げ片の薄肉部にすることで形成された空間に形成したことを特徴とする配線用遮断器の端子金具。
【請求項２】
前記立上げ片の薄肉部の反対面に電路の接続部を形成したことを特徴とする請求項１に記載の配線用遮断器の端子金具。
【請求項３】
ベースに、端子金具を左右両側から挟止する挟止部を形成したことを特徴とする請求項１に記載の配線用遮断器の端子金具。
【発明の詳細な説明】
【技術分野】
【０００１】
本発明は、ベースとカバーとからなる筐体を備えた配線用遮断器の端子金具に関するものである。
【背景技術】
【０００２】
配線用遮断器は、ベースとカバーとからなる筐体の内部に過電流の検出手段や引き外し機構などを収納した構造が一般的である。操作用のハンドルはカバーの上方に突出されており、端子金具もカバーの外側に露出させてある。
【０００３】
特許文献１や特許文献２に示されるように、負荷側の端子金具は、ベースに形成された電線固定面と、この電線固定面から垂直に立ち上げた立上げ片とを備えたＬ字形状であり、立上げ片の先端は瞬時引き外し装置に接続されているものが多い。
【０００４】
特許文献１の負荷側の端子金具は、図７に示すように、ベース１の上部に形成された移動規制用の壁部２を避けるために立上げ片３が内側にクランク状に折り曲げられており、その上方からカバー４で覆われた構造となっている。カバー４は課電部である立上げ片３の外側（右側）を覆い、感電事故を防止している。８は立上げ片３の先端が溶接された瞬時引き外し装置である。
【０００５】
しかしこの構造では、カバー４の右端と端子金具の立上げ片３との間に隙間があるため、詳しくは、クランク状に折り曲げるために曲げ許容を作る必要があり、そのためカバー４と立上げ片３との間に隙間が生じるため、Ｗとして示されるカバー４の内側空間に無駄がある。このため、端子金具の立上げ片３がカバー４の内側空間を圧迫しているという問題があった。
【０００６】
また特許文献２の図２の負荷側の端子金具は、図８に示すように、ベース１に形成された電線固定面から垂直に立ち上げた立上げ片５を備えているが、この部分に対応するカバー６の端部７が薄肉化されている。このような構造とすれば、端子金具の立上げ片５がＷとして示されるカバー６の内側空間を圧迫することはない。
【０００７】
しかしカバー６は樹脂で形成されており、金型で成形するためには抜き勾配が必要である。このため特許文献２の構造では、カバー６の端部７が薄肉となり、カバー６の強度が低下するという問題があった。
【先行技術文献】
【特許文献】
【０００８】
【特許文献１】特開２０００−２９４１０５号公報
【特許文献２】特許第３２２８０８１号公報
【発明の概要】
【発明が解決しようとする課題】
【０００９】
従って本発明の目的は上記した従来の問題点を解決し、カバーの強度を損なうことなく、カバーの内部に形成される機器内部空間を広く確保することができる配線用遮断器の端子金具を提供することである。
【課題を解決するための手段】
【００１０】
上記の課題を解決するためになされた本発明は、ベースとカバーとからなる筐体を備えた配線用遮断器の端子金具であって、電線固定面と、この電線固定面から垂直に立ち上げた立上げ片とを備えたＬ字形状であり、この立上げ片の先端部に薄肉部を形成し、カバーの一部を前記立上げ片の薄肉部にすることで形成された空間に形成したことを特徴とするものである。
【００１１】
なお請求項２のように、前記立上げ片の薄肉部の反対面に電路の接続部を形成することが好ましい。また請求項３のように、ベースに、端子金具を左右両側から挟止する挟止部を形成することが好ましい。
【発明の効果】
【００１２】
本発明の配線用遮断器の端子金具は、立上げ片の先端部に薄肉部を形成し、カバーの一部をこの薄肉部にすることで形成された空間に形成した構造であるため、カバーを薄肉化する必要がなく、カバーの強度を確保することができる。また、立上げ片とカバーとの間に無駄な隙間が形成されることもないので、カバーの内部に形成される機器内部空間を広く確保することができる利点がある。
【００１３】
請求項２の発明のように、立上げ片の薄肉部の反対面に電路の接続部を形成すれば、立上げ片のその部分の熱容量が小さくなるため溶接時に加熱され易くなり、電路の溶接が行い易くなる。
【００１４】
請求項３の発明のように、ベースに端子金具を左右両側から挟止する挟止部を形成すれば、端子金具のガタツキを防止でき、しかも挟止部によって機器内部空間が圧迫されることもない。
【図面の簡単な説明】
【００１５】
【図１】実施形態の配線用遮断器の外観斜視図である。
【図２】接点開放状態の断面図である。
【図３】負荷側の端子金具の拡大図である。
【図４】負荷側の端子金具の斜視図である。
【図５】実施形態の配線用遮断器の水平断面図である。
【図６】要部の拡大図である。
【図７】特許文献１の構造を示す模式図である。
【図８】特許文献２の構造を示す模式図である。
【発明を実施するための形態】
【００１６】
以下に本発明の実施形態を説明する。
図１は実施形態の配線用遮断器の外観斜視図であり、ベース１０とカバー１１とによって筐体が形成されている。１２はカバー１１の上面に突出するハンドル、１３は負荷側端子、１４は電源側端子である。
【００１７】
図２は接点開放状態の断面図である。１５は上部に電源側端子１４が形成された固定接触子であり、その下部先端には固定接点１６が設けられている。１７は可動接触子であり、その先端には可動接点１８が設けられている。可動接触子１７の開放端１９は上方に屈曲させてあり、より線２０の一端が溶接されている。
【００１８】
２１は可動接触子１７を押し下げるクロスバーであり、２２は可動接触子１７の下方に配置されて可動接触子１７を上向きに弾発しているバネである。ハンドル１２とクロスバー２１との間には公知の開閉リンク機構２３が配置されており、ハンドル１２を図２の位置から左方向に倒すとクロスバー２１が押し下げられ、可動接触子１７も押し下げられて可動接点１８が固定接点１６に接触する。
【００１９】
より線２０の他端はコイル２４の下端に溶接されている。コイル２４の上端は後述する負荷側の端子金具２５に溶接されており、電源側端子１４と負荷側端子１３とを結ぶ電路を形成している。このため、可動接点１８が固定接点１６に接触したオン状態において電路に大電流が流れるとコイル２４に強い磁界が発生し、アーマチュア２６がコイル２４の中心のダッシュポット２７に吸着されて公知の引き外し機構が作動し、クロスバー２１を上昇させる。これと同時に可動接触子１７はバネ２２によって押し上げられ、回路が遮断される。なお、電源側端子１４、負荷側端子１３は、電線固定面３０、電線を固定するためのねじ、ナット等からなる箇所を示すものである。
【００２０】
これらのコイル２４とアーマチュア２６は瞬時引き外し機構を構成するものであるが、このほかに筐体の内部には公知の過電流引き外し機構も収納されており、過電流が所定時間流れたときには引き外し機構を作動させて回路を遮断する。
【００２１】
以上に説明した配線用遮断器の構成及び動作は従来のものと同様であるが、負荷側の端子金具２５の構造は従来とは異なるので、以下に説明する。
【００２２】
図３は負荷側の端子金具２５の拡大図であり、図４は３極分の端子金具２５の斜視図である。この端子金具２５は銅板を折り曲げ成形したもので、全体がＬ字形状である。その下部は水平な電線固定面３０であり、ネジ式の負荷側端子１３が設けられている。電線固定面３０は圧着端子のアテになる部分であるから、十分な肉厚を持たせ、強度を持たせておくものとする。電線固定面３０には、電線を直接接続、または電線を圧着端子を介して接続されるものである。
【００２３】
３１はこの電線固定面３０から垂直に立ち上げた立上げ片である。図３に示されるように、この立上げ片３１の先端部には薄肉部３２が形成されている。この実施形態では、薄肉部３２は立上げ片３１の上半部の外側に形成されている。端子金具２５は電路を形成する部材であるから、薄肉部３２の肉厚を極度に薄くすることは好ましくなく、その他の部分の肉厚の５０〜８０％程度としてある。薄肉部３２はプレス成型しても、切削加工してもよい。このようにプレスまたは切削により薄肉化しても、立上げ片３１の高さが変化するおそれはなく、カバー１１がガタツクことはない。
【００２４】
図３に示されるように、カバー１１の端部３３はこの薄肉部３２にすることで形成された空間３５に、カバー１１の端部３３と薄肉部３２に重なるように形成され、端子金具２５の立上げ片３０の上方及び側方を覆っている。この構造とすれば、従来のようにカバー１１の端部３３を薄肉に成形する必要がないため、カバー１１の強度低下がない。また、カバー１１の端部３３を端子金具２５の立上げ片３０と密着させるか、至近距離に配置することができるので、カバー１１の内部に形成される機器内部空間を広く確保することができる。
【００２５】
前記したように、コイル２４の上端は、負荷側の端子金具２５の薄肉部３２の反対面に溶接されている。薄肉部は厚肉部よりも熱容量が小さく加熱され易いので、溶接を容易に行える利点がある。なお、薄肉部３２にすることで形成された空間３５に、カバー１１の端部３３と薄肉部３２に重なるように形成した面とは反対側はフラット面に形成しているため、機器内部空間を広く確保することができる。
【００２６】
図５は実施形態の配線用遮断器の水平断面図、図６はその負荷側の端子金具２５の付近の拡大図である。図６に明示されているように、ベース１０には端子金具２５を左右両側から挟止する挟止部３４が形成されている。端子金具２５はコ字状の挟止部３４内に落とし込むように取り付けられる。
【００２７】
このように端子金具２５を左右から保持させる構造とすれば、端子金具２５のガタツキを確実に防止できるうえ、圧着端子のアテになる部分を補強することができる。
【００２８】
以上に説明したように、本発明によれば、従来のようにカバー１１の強度を損なうことなく、カバー１１の内部に形成される機器内部空間を広く確保することができる。
【符号の説明】
【００２９】
１  ベース
２  移動規制用の壁部
３  立上げ片
４  カバー
５  立上げ片
６  カバー
７  カバーの端部
８  瞬時引き外し装置
１０  ベース
１１  カバー
１２  ハンドル
１３  負荷側端子
１４  電源側端子
１５  固定接触子
１６  固定接点
１７  可動接触子
１８  可動接点
１９  開放端
２０  より線
２１  クロスバー
２２  バネ
２３  開閉リンク機構
２４  コイル
２５  端子金具
２６  アーマチュア
２７  ダッシュポット
３０  電線固定面
３１  立上げ片
３２  薄肉部
３３  カバーの端部
３４  挟止部
【図１】
2020080210.tif 000003
【図２】
2020080210.tif 000004
【図３】
2020080210.tif 000005
【図４】
2020080210.tif 000006
【図５】
2020080210.tif 000007
【図６】
2020080210.tif 000008
【図７】
2020080210.tif 000009
【図８】
2020080210.tif 000010